(57)【要約】【課題】簡単な操作で短時間に紐類を係止して、紐を枝等に連結する労力を軽減し得る実用に優れた紐類の係止具を提供する。【解決手段】二つ折れ状に開閉し、内側に挟着部１２を形成する開閉体１４と、挟着部１２に設けられた紐類の抜脱防止手段１６と、開閉体１４の閉鎖ロック状態とロック解除状態とを自在に選択可能なロック機構１８と、を備える。紐３００を枝３０２等に巻きつけ、その折り返しループを閉鎖するように折り返しによる重畳部分Ｄｐを直状にして開いた状態の開閉体１４の挟着部１２にあてがい、開閉半体１４を閉鎖してロック機構１６を介してロックすることにより、紐３００を係止する。これにより、紐を簡単な操作で確実に係止することができ、紐の連結作業の際の労力を軽減できる。【選択図】        図１
2004254503.tif 000002
【特許請求の範囲】
【請求項１】
紐類の折り返し端側でその折り返しループを閉鎖するように折り返しによる重畳部分を係止させる紐類の係止具であり、
二つ折れ状に開閉し、内側に紐類の重畳部分を直状にあてがって閉鎖時に該重畳部分の挟着部を形成する開閉体と、
挟着部に設けられた紐類の抜脱防止手段と、
開閉体の閉鎖ロック状態とロック解除状態とを自在に選択可能なロック機構と、を備えたことを特徴とする紐類の係止具。
【請求項２】
抜脱防止手段は、内側に紐類の重畳部分を直状にあてがって閉鎖した状態で断面蛇行状の挟持状態となるようにそれぞれの開閉半体から差し違え噛み合い状に互いに対向方向に突設された１個又は複数の差し違え突設部を含む請求項１記載の紐類の係止具。
【請求項３】
差し違え突設部は、紐類があてがわれる直状方向と交差する方向に連続状または不連続状に長く設けられた突条、あるいは不連続状に設けられた複数の突丘からなる請求項２記載の紐類の係止具。
【請求項４】
前記突条または突丘には、紐類に直接かつ局部的に押し付けられる連続状または不連続状の捕捉用突子が設けられていることを特徴とする請求項３記載の紐類の係止具。
【請求項５】
開閉体は、紐類があてがわれる直状方向に沿う方向を軸線方向として設定された開閉軸回りに開閉する第１、第２開閉半体からなる請求項１ないし４のいずれかに記載の紐類の係止具。
【請求項６】
ロック機構は、いずれかの開閉半体に設けられた孔と、他の開閉半体に設けられ該孔に嵌挿ロック可能に接続された嵌挿突起と、を有し、
嵌挿突起は、その嵌挿による貫通端側の操作により瞬時にそのロック状態を解除させるように設けられた請求項５記載の紐類の係止具。
【請求項７】
係止具がプラスチック合成樹脂により一体成形されている請求項１ないし６のいずれかに記載の紐類の係止具。
【発明の詳細な説明】
【０００１】
【発明の属する技術分野】
本発明は、例えば、果実等の落下防止のための枝の吊支、または枝の任意の方向への強制的な曲げ、その他梱包等に用いられる紐類の係止具に関する。
【０００２】
【従来の技術】
図９に示すように、近年、例えば、みかんやデコポン等の柑橘類、その他の果物はハウスで栽培されており、ハウス一棟当り例えば、数十本以上の木が植えられている。果実の成長に伴って、果実の重さで枝が折れて、果実が落下するのを防ぐために、麻紐類やビニール製の紐類などの一端を着果している枝に結びつけ、その紐類の他端をハウスの棟等に固定して、枝を上に吊り上げて管理される。さらに、みかん等の果実に太陽の光を確実にあてるために、上方向に吊り上げるための紐類Ｈ１とは別に、枝に他の紐類Ｈ２の一端を結び付け、その紐類を例えば、横方向に引張って枝を強制的に曲げた状態で、その紐類の他端側がハウスのフレーム（図示せず）等に固定されている。
【０００３】
【発明が解決しようとする課題】
従来、これらの紐類を枝に結びつける作業は、作業者が１本１本手作業で紐類を枝に結びつけなければならなかったので煩雑であるとともに労力が必要であった。さらに、１本のみかんの木には、例えば、２００〜３００個の実が着果するが、ハウス１棟で数万個と膨大な数の実がなるので、それに対応した数の紐類を取りつけるのは重労働であるとともに、作業時間も長く、人件費が多くかかっていた。また、果実に太陽の光をあてるために枝を強制的に曲げる際には、一回で枝を所定位置まで曲げると枝が折れてしまう恐れがあるので、数回に分けて段階的に曲げていく必要があり、この際、何度も紐類の取付け、取り外しが行われる。しかし、紐類が簡単に枝からほどけてしまわないように紐類は片結びで枝に結びつけられている場合が多く、紐類を取り外す作業も煩雑で、多くの労力が必要であった。よって、はさみ等の刃物で紐類を切らなければならない場合も多く、紐類の結び目部分が枝に残ってしまったり、刃物で枝や果実を傷付けてしまう問題があった。
【０００４】
一方、特許文献１には、メロン等の果実のハウス栽培において、着果している枝を吊り上げるのに用いられる果枝吊り具が提案されている。この特許文献１の果枝吊り具は、吊り紐類と、吊り紐類を巻取り付勢する巻取装置と、巻取装置に設けられた係止用フックと、吊り紐類の下端側に設けられた枝支フックと、巻取装置の真下位置に水平状に固定された溝付円筒体と、を備えている。そして、巻取装置を係止用フックを介してハウスの棟に係止させた状態で、巻取装置から吊り紐類を所要長さ分引出し、枝に枝支フックを引っ掛け、吊り紐類を溝付円筒体に巻き回して吊り紐類を固定状態とし、枝を吊り上げるものである。しかしながら、特許文献１の果枝吊り具は、巻取装置及びその他の多数の部材を備えた構成なので、構造が複雑で製造コストが高いものであった。特に、みかん等の果実栽培では、１本の木になる果実の個数が多く、ハウス一棟で必要な枝吊り具の個数も大量個数となるので、コストの問題が大きい。また、巻取装置部分が嵩張ってしまうので、枝吊り具の多数個の設置が困難である等の問題があり、実用性が低いものであった。
【特許文献１】特開２００２−１３６２３４号公報
【０００５】
本発明は上記従来の課題に鑑みてなされたものであり、その一つの目的は、簡単な操作で短時間に紐類を装着して、紐類を枝等の任意のものに連結することができるとともに、紐類の装着状態を良好に維持でき、さらに、簡単な操作で紐類を離脱させることができる実用に優れた紐類の係止具を提供することにある。さらに、他の目的は、低コストで大量生産することができる紐類の係止具を提供することにある。
【０００６】
【課題を解決するための手段】
上記課題を解決するために本発明は、紐類３００の折り返し端側でその折り返しループを閉鎖するように折り返しによる重畳部分Ｄｐを係止させる紐類の係止具であり、二つ折れ状に開閉し、内側に紐類の重畳部分Ｄｐを直状にあてがって閉鎖時に該重畳部分Ｄｐの挟着部１２を形成する開閉体１４と、挟着部１２に設けられた紐類の抜脱防止手段１６と、開閉体１４の閉鎖ロック状態とロック解除状態とを自在に選択可能なロック機構１８と、を備えたことを特徴とする紐類の係止具１０から構成される。開閉体１４の形状は、例えば、略矩形形状、楕円または長丸形状、その他任意形状に形成される。開閉軸部は、例えば、蝶番構造や、その他の枢着構造等で構成されていても良い。ロック機構１８は、例えば、一方の開閉半体に設けた内向き又は外向きフック部と、他方の開閉半体に設けたフック受け部と、によって段差を嵌着させることによりロックできる構成、又はその他の段差係合状に閉鎖ロックできる構成とすれば閉鎖ロック及びロック解除の操作が簡単に行える。しかしながら、ロック機構は、バックル形、ボタン、ホック、挿し込み、かんぬき形、その他任意の構成でもよい。
【０００７】
また、抜脱防止手段１８は、内側に紐類の重畳部分Ｄｐを直状にあてがって閉鎖した状態で断面蛇行状の挟持状態となるようにそれぞれの開閉半体１４１、１４２から差し違え噛み合い状に互いに対向方向に突設された１個又は複数の差し違え突設部２４を含むこととしてもよい。
【０００８】
また、差し違え突設部２４は、紐類３００があてがわれる直状方向と交差する方向に連続状または不連続状に長く設けられた突条３０、（３８，４０，４２）、あるいは不連続状に設けられた複数の突丘からなることとしてもよい。突条、突丘は、例えば、縦断面視で、矩形状、台形状、突設端側にのこぎり歯状を有する形状等、その他任意形状の立体形状で形成される。また、突条または突丘の個数や互いの間隙も任意に設定される。
【０００９】
また、前記突条３０、（３８，４０，４２）または突丘には、紐類に直接かつ局部的に押し付けられる連続状または不連続状の捕捉用突子４４が設けられたこととしてもよい。
【００１０】
また、開閉体１４は、紐類３００があてがわれる直状方向を軸部（２０）として開閉する第１、第２開閉半体１４１，１４２からなることとしてもよい。第１、第２開閉半体１４１，１４２は、軸部とともに一体的形成されると好適である。第１、第２開閉半体１４１，１４２は、それぞれ別体として形成されていても良い。
【００１１】
また、ロック機構１８は、いずれかの開閉半体１４１に設けられた孔４６と、他の開閉半体１４２に設けられ該孔４６に嵌挿ロック可能に接続された嵌挿突起５４と、を有し、嵌挿突起５４は、その嵌挿による貫通端側の操作により瞬時にそのロック状態を解除させるように設けられたこととしてもよい。
【００１２】
また、係止具１０がプラスチック合成樹脂により一体成形されていることとしてもよい。
【００１３】
【発明の実施の形態】
以下添付図面を参照しつつ本発明の紐類の係止具の実施の形態について説明する。本発明の紐類の係止具１０は、例えば、麻、綿等の繊維を編成した紐類やビニール製の紐類等の紐類の折り返し端側で折り返しループを閉鎖するように折り返しによる重畳部分を係止する紐類の係止手段である。図１ないし図８は、本発明の紐類の係止具の第１の実施形態について示している。
【００１４】
図１ないし図４において、本実施形態の紐類の係止具１０は、全体をプラスチック合成樹脂成形品により構成され、例えば縦、横、高さが３．３ｃｍ×２．５ｃｍ×１．５ｃｍ程度の小型の軽量な矩形形状で構成されている。紐類の係止具１０は、二つ折れ状に開閉し閉鎖して挟まれる内側に紐類の挟着部１２を形成する開閉体１４と、挟着部１２に設けられた紐類の抜脱防止手段１６と、開閉体１４の閉鎖状態をロックし得るロック機構１８と、を備えている。
【００１５】
開閉体１４は、開閉軸部２０を軸として面合わせ状に閉鎖する状態と、開く状態と、に変化し得るほぼ同様の大きさ、形状の第１開閉半体１４１と、第２開閉半体１４２と、を含む。そして、その開放状態で図８に示すように紐３００の重畳部分Ｄｐを直状にあてがって、これを面合わせ状に閉鎖することにより、その重畳部分Ｄｐを挟みこみ、該重畳部分Ｄｐがずれないように固定させる。すなわち、開閉体１４は、内側に紐類の重畳部分を直状にあてがってその閉鎖時に該重畳部分の挟着部１２を形成させる。さらに、これらの開閉半体１４１、１４２は左右見開き状に開く。
【００１６】
この実施形態において、第１、第２開閉半体１４１、１４２は、紐類があてがわれる直状方向に沿う方向を軸線Ｘ方向（図１、図２においては上下方向）として設定された開閉軸部２０回りに開閉するように設けられており、したがって、紐類を直状にしていずれかの開閉半体側にあてがった状態で紐の重畳部分Ｄｐの長さを確認しながら片手でしかもワンタッチで瞬時に閉操作し得る。第１、第２開閉半体１４１、１４２は、それぞれ硬質のプラスチック合成樹脂で成形され、それぞれ略矩形の厚板平板状に形成されている。
【００１７】
図１、３、７、８に示すように、開閉軸部２０は、それぞれの開閉半体の矩形の一辺を対向させて上下２個の部分を連結させた薄板状の成形連結部２２ａ、２２ｂからなっている。この成形連結部２２ａ、２２ｂは、繰り返しのＸ軸回り方向への曲げに対して十分な強度と耐性を有するプラスチック合成樹脂製の薄板部材からなり、それぞの開閉半体１４１，１４２に対して２箇所で例えば溶着固定されている。実施形態において、成形連結部２２ａ、２２ｂは、常時、図８のようにそれぞれの開閉半体が略直角方向に開いた状態を形状保持し得るように設けられている。
【００１８】
見開き状に開いて面合わせ状に閉鎖する開閉半体１４の内側の挟着部に、係止固定する紐類の抜脱防止手段１６が設けられている。抜脱防止手段１６は、開閉半体を閉鎖させた状態で該係止具からの挟み込んだ紐の抜脱を防止するものであり、より詳細には、紐類の折り返し端側の折り返しループを閉鎖するように折り返して形成した紐の重畳部分Ｄｐがその重畳位置で互いの紐がその長手方向にずれないようにして、ループで係止する果樹の枝と梁等の支持体との距離に変動を生じさせないようにするものである。特に、本実施形態では、抜脱防止手段として、それぞれの開閉半体に設けられた差し違え突設部２４を含む。
【００１９】
図８において、第１半体１４１はその中央部に窓孔２６を穿孔し、その孔の上下両側に基底面２８から下駄の歯状に２個の第１突条３０が平行に突設されている。これらの第１突条３０は、第１半体の内側の基底面２８の中間位置に設けられており、それらの第１突条３０のさらに軸線Ｘ方向両外側には基底面空隙Ｇがそれぞれ形成されている。第１突条３０は、開閉体１４の内側に紐３００を直状にしてあてがったときにその紐の直状方向と直交する方向に向けて長く形成された突設厚板構成であり、第２半体１４２側の突設部と協働して、直状にあてがった紐を差し違え状に噛み合うように互いに対向方向に突設させた第１の差し違え突設部２４１である。
【００２０】
この実施形態において、第１半体１４１の内側には２個の第１突条３０の両端を終端して縦仕切り３２、３４が基底面２８の本体部の全長にわたって直角状に接続されている。一つの縦仕切り３２は前述の開閉軸部２０と連結されている。他方の縦仕切り３４は縦仕切り３２と同様に基底面２８から第１突条３０の突設高さよりも高く突設された仕切り板であり、それら両方の縦仕切り３２、３４に挟まれた部分の差し違え突設部２４において第２半体側と協働して直状の紐が挟着される。さらに、開閉半体の開閉外側の縦仕切り３４の外部側には後述するロック機構の一部が形成されている。
【００２１】
一方、第２半体１４２は第１半体１４１と略同じ大きさの厚板状部材からなり、その開閉内面側には基底面２８の本体部の全長と同じ縦長さで同じ横幅の基底面３６を有する本体部から３個の第２突条３８、４０、４２が突設形成されている。これらの突条３８、４０、４２は、図上横に平行に厚い桟板状に突設して相互に離隔して設けられている。第２上突条と第２下突条３８、４２は、基底面３６の上下端から突設しており、開閉体１４を閉着させた際には第１半体１４１の基底面空隙Ｇ内にそれぞれ突入し収容される突出高さで設けられている。さらに第２中間突条４０は、それぞれの突条３８、４２から離隔して基底面３６の上下中央位置に設置され、開閉体１４を閉着させた際には第１半体１４１の窓孔２６に突入するように突設されている。第２突条３８、４０、４２は、開閉体１４の内側に紐３００を直状にしてあてがったときにその紐の直状方向と直交する方向に向けてそれぞれ長く形成されており、第１半体１４１側の突条と協働して、直状にあてがった紐を差し違え状に噛み合うように互いに対向方向に突設させた第２の差し違え突設部２４１を構成する。
【００２２】
すなわち、開閉半体１４１，１４２を面合わせ状に完全閉着させた際には、図５に示すように第１、第２突条３０、（３８，４０，４２）がそれぞれの突出先端を越えて空隙Ｇ、あるいは窓孔２６に突入する高さでそれぞれの突条３０、（３８，４０，４２）の突設高さが設定されている。より詳しくは、第１、第２の差し違え突設部２４１、２４２は、内側に紐類の重畳部分Ｄｐを直状にあてがって開閉半体を閉鎖したときに断面蛇行状に挟持するようにそれぞれの開閉半体１４１，１４２から差し違え噛み合い状に互いに対向方向に突設して設けられている。これによって、例えば図６のように断面Ｅ型と２個のＬ型との開閉半体の噛み合い構成でｒ，ｓ，ｔ，ｕのそれぞれの一対の隅部による４箇所の屈曲部分で基本的に紐３００の抜脱防止機能を行なう。なお、上記した第１、第２突条３０、（３８，４０，４２）は、横長状に連続する厚板形状とせずに例えば紐の長手方向と直交する方向に不連続上、あるいは間欠的に形成した突丘、突台などで形成してもよい。
【００２３】
図１，３，８に戻って、第１半体１４１の第１突条３０には小突起４４がそれぞれ３個づつ間隔を空けて突設されている。詳細には、矩形厚板状の第１突条３０の平坦上面であって、その立ち上がり側面寄り位置にそれぞれ３個づつ間隔を空けて微小円筒状の突起４４が列状に並んで突設されている。実施形態では、小突起４４列は、一方の立ち上がり側面寄り位置のみについて設けられているが、両側面寄り位置に形成しても良い。また、突設数も１個、２個あるいは４個以上設けても良い。さらにその形状も円筒に限らず、四角柱、その他の任意形状としてもよい。小突起４４は、開閉体を閉着した際にその内側に直状に配置した紐に直接かつ局部的に押し付けられる捕捉用突子であり、第１、第２突条３０、（３８，４０，４２）の蛇行状挟持構成と相乗して紐に密着し、これを確実に捕捉して係止具による紐の重畳部分Ｄｐの係止を確実に行なわせる。
【００２４】
さらに、第２半体１４２の第２上下突条３８、４２にも小突起４４がそれぞれ２個づつ間隔を空けて突設されている。詳細には、図１のように、矩形厚板状の第２上、下突条３８，４２の平坦上面であって、その中央部側対向の立ち上がり側面寄り位置にそれぞれ２個づつそれぞれの突条の両端寄り位置に微小円筒状の突起４４が突設されている。小突起４４は、中央部側対向の立ち上がり側面寄り位置のみでなく、両側面寄り位置に形成しても良い。また、突設数も１個あるいは３個以上設けても良い。さらにその形状も円筒に限らず、四角柱、その他の任意形状としてもよい。第２上下突条の小突起４４は、開閉体を閉着した際にその内側に直状に配置した紐に直接かつ局部的に押し付けられる他の捕捉用突子であり、紐に密着してこれを確実に捕捉して係止具による紐の重畳部分Ｄｐの係止を確実に行なわせる。
【００２５】
さらに、図１、図７、図８において、それぞれの開閉半体１４１，１４２には開閉体を閉鎖ロック、ロック解除自在に嵌合させるロック部材が設けられている。すなわち、図において、第１半体１４１の外側縦仕切り３４の長さ中央位置に受け孔４６を有する孔枠４８が突設固定されている。受け孔は開閉半体の閉鎖方向に近接しつつ下がり傾斜となる斜面５０を有する矩形孔から形成されている。他方、第２半体１４２の基底面３６の縦長さ中央位置であって、第１半体の受け孔４６に対応する位置には、該受け孔４６に嵌挿ロック可能なＬ字突片５２が突設固定されている。Ｌ字突片５２は、第２半体１４２に一体成型されてその本体部からＬ字状に屈曲形成され、十分な強度により形状保持されている。そして、Ｌ字先端部はその基端部の弾性支持力によりある程度の強い力を加えることによりｋ方向に揺動しうるように連結されている。Ｌ字突片５２は、第１半体の受け孔４６に対して嵌合ロック状態と、ロック解除状態を自在に選択しうるように設けられた嵌挿突起５４であり、本実施形態において、これら第１半体の受け孔４６及び第２半体の嵌挿突起５４がロック機構１８を構成する。この際、Ｌ字突片５２は、受け孔４６の斜面５０の底縁５０ａに嵌着する戻り段５６を有する外向きフック部５８をＬ字先端部に備えている。そして、開閉軸部２０周りに例えば第１半体１４１を回動させる際に、外向きフック部５８の腹部６０が底縁５０ａに当たって第１、第２半体を強圧的に閉鎖する方向に力を加えない限りは完全閉鎖しないようになっている。したがって、開閉体の閉鎖時には、強圧的にそれぞれの本体部を握って強く押し付けると、フック部の先端側が受け孔４６の斜面５０にあたりつつｋ２方向に押されながら斜面５０側に反力を働かせつつ嵌挿突起５４が受け孔４６に進入していく。外向きフック部５８の戻り段５６が斜面の底縁５０ａを越えると、Ｌ字突片の先端側の付勢力によりｋ１方向へ復帰して、底縁５０ａと戻り段５６とが嵌合してロック状態となる。また、その解除に際しては、図４の状態からフック部５８の先端を少しＬ字内側（ｋ２方向）に向けて押しながらいずれかの半体１４１，１４２を押し開くことにより簡単にロック解除を行なうことができる。
【００２６】
次に、本実施形態の係止具の作用について説明すると、図８において、例えば果樹等の栽培ハウスの図示しない梁などに一端を連結させ、他端を延長させて果樹の枝３０２に２回程度巻きつけ、その折り返し端側でその折り返しループを閉鎖するように折り返しによる重畳部分Ｄｐを直状にして開いた状態の係止具１０の挟着部１２にあてがい、その状態で面合わせ状に開閉半体１４を閉鎖し、さらに強圧に押し挟むことにより完全に閉鎖させる。開閉軸部２０の薄板状の成形軸片は常時両開閉半体１４１，１４２が略９０度の角度で開いた状態で形状保持するように両開閉半体１４１，１４２に接合されており、したがって、常時この略９０度の角度で開くようにそれらを弾性的に付勢している。その結果、第２半体の外向きフック部５８の外面が第１半体の受け孔４６の斜面５０に当たってから強圧的に押し挟む動作は片手の例えば親指と人差し指などの２本の指だけで操作ができ、よって、あまった他方の手で重畳部分の長さ調整などを自在に行なえて所望の紐類の引張長さに調整し、設定しうる。また、受け孔４６と、嵌挿突起５４とのロックを解除する場合には、例えば、フック部５８の先端を少しＬ字内側に向けて押しながらいずれかの半体１４１，１４２を押し開くことで実現し得る。
【００２７】
面合わせ状に開閉半体１４を閉鎖した際には、第１、第２の差し違え突設部２４１、２４２の断面蛇行状の差し違え噛み合い構成により、複数の屈曲隅部によって基本的な紐３００の抜脱防止機能が行なわれる。さらに、それらの第１、第２の差し違え突設部２４１、２４２に突設した捕捉用突子により、開閉体を閉着した際にその内側に直状に配置した紐に直接かつ局部的に密着して紐が捕捉され、第１、第２突条３０、（３８，４０，４２）の蛇行状挟持構成と相乗して係止具による紐の重畳部分Ｄｐの係止を確実に行なわせる。
【００２８】
本発明の紐類の係止具は、上記した実施形態に限るものではなく、特許請求の範囲に記載した発明の本質を逸脱しない範囲において任意の改変を行ってもよい。例えば、係止具の大きさ形状等は、紐の厚さ、素材等に対応して任意に設定される。
【００２９】
【発明の効果】
上記したように本発明の紐類の係止具によれば、紐類の折り返し端側でその折り返しループを閉鎖するように折り返しによる重畳部分を係止させる紐類の係止具であり、二つ折れ状に開閉し、内側に紐類の重畳部分を直状にあてがって閉鎖時に該重畳部分の挟着部を形成する開閉体と、挟着部に設けられた紐類の抜脱防止手段と、開閉体の閉鎖ロック状態とロック解除状態とを自在に選択可能なロック機構と、を備えた構成であるから、簡単な操作で短時間に紐類に係止させ、紐類を枝等の任意のものに連結することができるとともに、紐類を確実に係止でき、さらに、簡単な操作で紐類を離脱させることができる。したがって、紐類を枝等に連結する際の労力の軽減、人件費の低減、作業時間の短縮等が可能となり、実用的な紐類の係止具を実現できる。また、係止具全体をコンパクトに製造でき、嵩張りを少なくすることができる。
【００３０】
また、抜脱防止手段は、内側に紐類の重畳部分を直状にあてがって閉鎖した状態で断面蛇行状の挟持状態となるようにそれぞれの開閉半体から差し違え噛み合い状に互いに対向方向に突設された１個又は複数の差し違え突設部を含む構成とすることにより、紐類を開閉体の挟着部で一回又は複数回屈曲させながら挟持させて紐類を確実に係止し、紐類の開閉体の挟着部から抜脱するのを効果的に防止できる。
【００３１】
また、差し違え突設部は、紐類があてがわれる直状方向と交差する方向に連続状または不連続状に長く設けられた突条、あるいは不連続状に設けられた複数の突丘からなる構成とすることにより、差し違え突設部を簡単な構成で具体的に実現できる。
【００３２】
また、前記突条または突丘には、紐類に直接かつ局部的に押し付けられる連続状または不連続状の捕捉用突子が設けられている構成とすることにより、突条または突丘による蛇行状挟持構成との相まって、係止具による紐類の重畳部分の係止をより確実に行なうことができる。
【００３３】
開閉体は、紐類があてがわれる直状方向に沿う方向を軸線方向として設定された開閉軸回りに開閉する第１、第２開閉半体からなる構成とすることにより、係止具を紐類の重畳部分に簡単な操作でかつすばやく装着・離脱することができる。
【００３４】
ロック機構は、いずれかの開閉半体に設けられた孔と、他の開閉半体に設けられ該孔に嵌挿ロック可能に接続された嵌挿突起と、を有し、嵌挿突起は、その嵌挿による貫通端側の操作により瞬時にそのロック状態を解除させるように設けられた構成とすることにより、ロック機構を簡単な構成で具体的に実現できると同時に、開閉体の閉鎖ロック及びロック解除の操作を簡単かつ短時間に行うことができる。
【００３５】
また、係止具がプラスチック合成樹脂により一体成形されている構成とすることにより、低コストで大量生産が可能であるとともに、係止具を軽量でコンパクトに製造でき、大量個数を同時に持ち運ぶことができる。
【図面の簡単な説明】
【図１】本発明の紐類の係止具の第１実施形態の開閉体を開いた状態の正面図である。
【図２】図１の係止具の閉鎖状態の図である。
【図３】図１のＡ−Ａ線断面図である。
【図４】図２のＢ−Ｂ線断面図である。
【図５】図２のＣ−Ｃ線断面図における紐の係止状態を示す説明図である。
【図６】抜脱防止手段の作用説明図である。
【図７】図１の係止具の開閉体の開閉作用説明をあらわす底面図である。
【図８】開閉体内部に紐類を直状にあてがった状態を示す斜視説明図である。
【図９】（ａ）は果実のハウス栽培の説明図、（ｂ）はその着果部分の拡大説明図である。
【符号の説明】
１０  係止具
１２  挟着部
１４  開閉体
１４１、１４２  第１、第２開閉半体
１６  抜脱防止手段
１８  ロック機構
２０  開閉軸部
２４  差し違え突設部
３０  第１突条
３８  第２上突条
４０  第２中間突条
４２  第２下突条
４６  孔
４８  孔枠
５４  嵌挿突起
３００  紐
Ｄｐ  重畳部分
【図１】
2004254503.tif 000003
【図２】
2004254503.tif 000004
【図３】
2004254503.tif 000005
【図４】
2004254503.tif 000006
【図５】
2004254503.tif 000007
【図６】
2004254503.tif 000008
【図７】
2004254503.tif 000009
【図８】
2004254503.tif 000010
【図９】
2004254503.tif 000011